(57)【要約】【課題】  作業実績を精度良く取得できる作業実績取得システム、サーバ及びプログラムを提供する。【解決手段】  本発明の作業実績取得システムは、複数の作業者に共通な作業実績取得サーバに各作業者端末がネットワークを介して接続されている。作業者端末には、作業実績取得サーバの制御下で、作業種類と、作業開始時間と、業務終了とを少なくとも指定できるデータ入力画面が表示され、このデータ入力画面を利用して、新たな作業の作業種類及び作業開始時間をリアルタイムで指定できる。作業実績取得サーバは、直前作業の開始時間及び受信した新たな作業の開始時間で作業時間を定め、作業実績を記憶する。【選択図】      図１
2005092325.tif 000002
【特許請求の範囲】
【請求項１】
複数の作業者に共通な作業実績取得サーバに各作業者端末がネットワークを介して接続される作業実績取得システムであって、
上記作業実績取得サーバが、
上記各作業者毎の作業実績を記憶する作業実績記憶手段と、
上記各作業者端末に、作業種類と、作業開始時間と、業務終了とを少なくとも指定できるデータ入力画面を表示させる入力画面表示制御手段と、
いずれかの上記作業者端末から、作業種類及び作業開始時間が指定されたときに、上記作業実績記憶手段のその作業者端末に係る作業者の記憶領域に、受信した作業種類及び作業開始時間を少なくとも含む新たな作業実績を書き加えると共に、その直前作業の作業実績における作業時間欄に、直前作業の開始時間及び受信した新たな作業の開始時間で定まる作業時間を書き加える作業実績算出・保存手段と、
いずれかの上記作業者端末から、業務終了が指定されたときに、上記作業実績記憶手段のその作業者端末に係る作業者の最終の作業実績における作業時間欄に、最終作業の開始時間及び業務終了の受信時間で定まる作業時間を書き加える最終作業実績算出・保存手段とを有する
ことを特徴とする作業実績取得システム。
【請求項２】
各作業者端末にネットワークを介して接続される作業実績取得サーバであって、
上記各作業者毎の作業実績を記憶する作業実績記憶手段と、
上記各作業者端末に、作業種類と、作業開始時間と、業務終了とを少なくとも指定できるデータ入力画面を表示させる入力画面表示制御手段と、
いずれかの上記作業者端末から、作業種類及び作業開始時間が指定されたときに、上記作業実績記憶手段のその作業者端末に係る作業者の記憶領域に、受信した作業種類及び作業開始時間を少なくとも含む新たな作業実績を書き加えると共に、その直前作業の作業実績における作業時間欄に、直前作業の開始時間及び受信した新たな作業の開始時間で定まる作業時間を書き加える作業実績算出・保存手段と、
いずれかの上記作業者端末から、業務終了が指定されたときに、上記作業実績記憶手段のその作業者端末に係る作業者の最終の作業実績における作業時間欄に、最終作業の開始時間及び業務終了の受信時間で定まる作業時間を書き加える最終作業実績算出・保存手段と
を有することを特徴とする作業実績取得サーバ。
【請求項３】
上記各作業者の生体データを記憶する生体データ記憶手段と、
いずれかの上記作業者端末から与えられた生体データが上記生体データ記憶手段に記憶されているときに、上記入力画面表示制御手段が、その作業者端末に上記データ入力画面を表示させることを許可する作業者認証手段と
をさらに有することを特徴とする請求項２に記載の作業実績取得サーバ。
【請求項４】
上記作業実績算出・保存手段は、上記作業者端末から、上記データ入力画面の表示中において、上記生体データ記憶手段に記憶されている生体データが到来した時間を、作業開始時間の指定として取り込むことを特徴とする請求項３に記載の作業実績取得サーバ。
【請求項５】
上記作業実績記憶手段のある作業者の最終作業に係る情報から形成された作業中情報を含む、上記作業者端末の表示画面より小さい作業中画面を、所定の上記作業者端末に継続して表示させる作業中画面表示制御手段をさらに有することを特徴とする請求項２〜４のいずれかに記載の作業実績取得サーバ。
【請求項６】
上記作業中画面表示制御手段は、作業中情報に係る作業者の上記作業者端末に、上記作業中画面を表示させることを特徴とする請求項５に記載の作業実績取得サーバ。
【請求項７】
上記各作業者間の関係での権限レベルを記憶する権限記憶手段を有すると共に、
上記作業中画面表示制御手段は、権限レベルが高い作業者の上記作業者端末に、その作業者と関係する権限レベルが低い１又は複数の作業者の作業中情報を含む上記作業中画面を表示させることを特徴とする請求項５又は６に記載の作業実績取得サーバ。
【請求項８】
各作業者端末にネットワークを介して接続される作業実績取得サーバに搭載される作業実績取得プログラムであって、
上記各作業者毎の作業実績を記憶する作業実績記憶部と、
上記各作業者端末に、作業種類と、作業開始時間と、業務終了とを少なくとも指定できるデータ入力画面を表示させる入力画面表示制御機能部と、
いずれかの上記作業者端末から、作業種類及び作業開始時間が指定されたときに、上記作業実績記憶部のその作業者端末に係る作業者の記憶領域に、受信した作業種類及び作業開始時間を少なくとも含む新たな作業実績を書き加えると共に、その直前作業の作業実績における作業時間欄に、直前作業の開始時間及び受信した新たな作業の開始時間で定まる作業時間を書き加える作業実績算出・保存機能部と、
いずれかの上記作業者端末から、業務終了が指定されたときに、上記作業実績記憶部のその作業者端末に係る作業者の最終の作業実績における作業時間欄に、最終作業の開始時間及び業務終了の受信時間で定まる作業時間を書き加える最終作業実績算出・保存機能部と
を有することを特徴とする作業実績取得プログラム。
【請求項９】
上記各作業者の生体データを記憶する生体データ記憶部と、
いずれかの上記作業者端末から与えられた生体データが上記生体データ記憶部に記憶されているときに、上記入力画面表示制御機能部が、その作業者端末に上記データ入力画面を表示させることを許可する作業者認証機能部と
をさらに有することを特徴とする請求項８に記載の作業実績取得プログラム。
【請求項１０】
上記作業実績算出・保存機能部は、上記作業者端末から、上記データ入力画面の表示中において、上記生体データ記憶部に記憶されている生体データが到来した時間を、作業開始時間の指定として取り込むことを特徴とする請求項９に記載の作業実績取得プログラム。
【請求項１１】
上記作業実績記憶部のある作業者の最終作業に係る情報から形成された作業中情報を含む、上記作業者端末の表示画面より小さい作業中画面を、所定の上記作業者端末に継続して表示させる作業中画面表示制御機能部をさらに有することを特徴とする請求項８〜１０のいずれかに記載の作業実績取得プログラム。
【請求項１２】
上記作業中画面表示制御機能部は、作業中情報に係る作業者の上記作業者端末に、上記作業中画面を表示させることを特徴とする請求項１１に記載の作業実績取得プログラム。
【請求項１３】
上記各作業者間の関係での権限レベルを記憶する権限記憶部を有すると共に、
上記作業中画面表示制御機能部は、権限レベルが高い作業者の上記作業者端末に、その作業者と関係する権限レベルが低い１又は複数の作業者の作業中情報を含む上記作業中画面を表示させることを特徴とする請求項１１又は１２に記載の作業実績取得プログラム。
【発明の詳細な説明】
【技術分野】
【０００１】
本発明は、作業実績取得システム、作業実績取得サーバ及び作業実績取得プログラムに関し、例えば、新たな開発プロジェクトでの作業計画や原価予測に反映できるような作業実績情報を取得しようとするものである。
【背景技術】
【０００２】
例えば、新たな開発プロジェクト（例えばソフトウェア開発）での作業計画を立案する際には、同種の開発プロジェクトの作業実績が利用され、作業実績を自動的に集計したりなどする、ホストコンピュータと端末とでなるシステムも既に提案されている（特許文献１、特許文献２参照）。
【０００３】
作業実績は、開発プロジェクトを構成する複数の工程のそれぞれにどの作業者がどの程度の時間を割いたかの情報が基本情報となり、それを、各種の観点から集計処理して得られる。上述したような既存のシステム（特に、特許文献１）においても、各人は、例えば、１日の勤務終了時などの任意のタイミングで、その日などに携わった各工程の作業時間を端末から入力するようになされている。
【特許文献１】特開平５−９４４４６号公報
【特許文献２】特開平８−３０６７６号公報
【発明の開示】
【発明が解決しようとする課題】
【０００４】
ある作業者が、１日中、同じ工程を行っている場合であれば、１日の勤務終了時にその日の作業時間を端末から入力しても、入力された作業時間は正しいと思われる。
【０００５】
しかしながら、各作業者は、複数の工程を同時に割り当てられていることが多く、１日で、複数種類の工程に携わっていることも多い。このような場合、１日の勤務終了時に、その日行った各工程の作業時間を端末から入力しても、入力した作業時間は記憶にたよっていることが多く、その精度は低くならざるを得ない。その結果、ホストコンピュータが集計処理して得た作業実績の精度も低くなってしまう。
【０００６】
そのため、作業実績を精度良く取得できる作業実績取得システム、作業実績取得サーバ及び作業実績取得プログラムが望まれている。
【課題を解決するための手段】
【０００７】
かかる課題を解決するため、第１の本発明の作業実績取得システムは、複数の作業者に共通な作業実績取得サーバに各作業者端末がネットワークを介して接続されるものであって、上記作業実績取得サーバが、上記各作業者毎の作業実績を記憶する作業実績記憶手段と、上記各作業者端末に、作業種類と、作業開始時間と、業務終了とを少なくとも指定できるデータ入力画面を表示させる入力画面表示制御手段と、いずれかの上記作業者端末から、作業種類及び作業開始時間が指定されたときに、上記作業実績記憶手段のその作業者端末に係る作業者の記憶領域に、受信した作業種類及び作業開始時間を少なくとも含む新たな作業実績を書き加えると共に、その直前作業の作業実績における作業時間欄に、直前作業の開始時間及び受信した新たな作業の開始時間で定まる作業時間を書き加える作業実績算出・保存手段と、いずれかの上記作業者端末から、業務終了が指定されたときに、上記作業実績記憶手段のその作業者端末に係る作業者の最終の作業実績における作業時間欄に、最終作業の開始時間及び業務終了の受信時間で定まる作業時間を書き加える最終作業実績算出・保存手段とを有することを特徴とする。
【０００８】
第２の本発明の作業実績取得サーバは、各作業者端末にネットワークを介して接続されるものであって、上記各作業者毎の作業実績を記憶する作業実績記憶手段と、上記各作業者端末に、作業種類と、作業開始時間と、業務終了とを少なくとも指定できるデータ入力画面を表示させる入力画面表示制御手段と、いずれかの上記作業者端末から、作業種類及び作業開始時間が指定されたときに、上記作業実績記憶手段のその作業者端末に係る作業者の記憶領域に、受信した作業種類及び作業開始時間を少なくとも含む新たな作業実績を書き加えると共に、その直前作業の作業実績における作業時間欄に、直前作業の開始時間及び受信した新たな作業の開始時間で定まる作業時間を書き加える作業実績算出・保存手段と、いずれかの上記作業者端末から、業務終了が指定されたときに、上記作業実績記憶手段のその作業者端末に係る作業者の最終の作業実績における作業時間欄に、最終作業の開始時間及び業務終了の受信時間で定まる作業時間を書き加える最終作業実績算出・保存手段とを有することを特徴とする。
【０００９】
第３の本発明の作業実績取得プログラムは、各作業者端末にネットワークを介して接続される作業実績取得サーバに搭載されるものであって、上記各作業者毎の作業実績を記憶する作業実績記憶部と、上記各作業者端末に、作業種類と、作業開始時間と、業務終了とを少なくとも指定できるデータ入力画面を表示させる入力画面表示制御機能部と、いずれかの上記作業者端末から、作業種類及び作業開始時間が指定されたときに、上記作業実績記憶部のその作業者端末に係る作業者の記憶領域に、受信した作業種類及び作業開始時間を少なくとも含む新たな作業実績を書き加えると共に、その直前作業の作業実績における作業時間欄に、直前作業の開始時間及び受信した新たな作業の開始時間で定まる作業時間を書き加える作業実績算出・保存機能部と、いずれかの上記作業者端末から、業務終了が指定されたときに、上記作業実績記憶部のその作業者端末に係る作業者の最終の作業実績における作業時間欄に、最終作業の開始時間及び業務終了の受信時間で定まる作業時間を書き加える最終作業実績算出・保存機能部とを有することを特徴とする。
【発明の効果】
【００１０】
本発明の作業実績取得システム、作業実績取得サーバ及び作業実績取得プログラムによれば、作業者端末からリアルタイムで与えられる作業の開始時間情報に基づいて、各作業の作業時間を定めるようにしているため、作業実績を精度良く取得することできる。
【発明を実施するための最良の形態】
【００１１】
（Ａ）一実施形態
以下、本発明による作業実績取得システム、作業実績取得サーバ及び作業実績取得プログラムの好適な一実施形態を図面を参照しながら詳述する。
【００１２】
図１は、この実施形態の作業実績取得システムの全体構成を示すブロック図である。
【００１３】
この実施形態の作業実績取得システム１は、各作業者毎の作業者端末２と、作業実績取得サーバ３とが、ネットワーク（例えば社内ネットワーク）４を介して接続されて構成されている。
【００１４】
各作業者端末２は、例えば、パソコンなどの一般的な情報処理装置が該当する。そのため、そのハードウェア構成の図示及び説明は省略する。なお、この実施形態の場合、作業者端末２は、周辺装置として指紋読取装置２Ａを有している。
【００１５】
作業実績取得サーバ３は、例えば、大容量記憶装置３Ａが外付けされている、又は、大容量記憶装置３Ａを内蔵する、パソコン又はそれより処理能力が高いサーバなどの一般的な情報処理装置が該当し、このような情報処理装置に、作業実績取得プログラムＰがインストールされて構築されている。作業実績取得サーバ３は、例えば、作業実績取得プログラムＰがインストールされることにより、Ｗｅｂサーバとなる。
【００１６】
作業実績取得プログラムＰは、図２に示すように、大きくは、機能実行部（機能別処理ルーチン）Ｐ１と、データ記憶部Ｐ２とからなる。機能実行部Ｐ１は、例えば、作業実績取得サーバ３の本体の記憶装置及び又は大容量記憶装置３Ａに記憶され、データ記憶部Ｐ２は、例えば、大容量記憶装置３Ａに記憶される。
【００１７】
機能実行部Ｐ１は、作業者認証用照合部Ｐ１１、初期情報表示部Ｐ１２、作業者認証使用入力部Ｐ１３、作業時間算出・保存部Ｐ１４及び現在作業情報表示部Ｐ１５などの処理ルーチンを有する。これら各処理ルーチンは、作業実績取得サーバ３に組み込まれたときに、その機能を実行する手段が形成されたことになる。これら各処理ルーチンの機能については、以下の動作説明で明らかにする。
【００１８】
データ記憶部Ｐ２は、人事情報マスタファイルＰ２１、製造番号マスタファイルＰ２２、作業内容マスタファイルＰ２３、作業実績ファイルＰ２４及び指紋マスタファイルＰ２５などを有する。
【００１９】
人事情報マスタファイルＰ２１は、図３に示すように、各従業員（作業者）についての従業員番号、従業員名、作業種別、権限フラグ及び部署名のデータでなる。ここで、権限フラグは、作業実績ファイルＰ２４に対する修正を実行できるレベル（権限）に対応し、例えば、一般従業員に係るレベル、管理職従業員に係るレベル、当該システムの管理者従業員に係るレベルの３段階のレベルのいずれかが設定されている。この権限フラグと、部署名との情報により、その部署の一般従業員と管理職従業員との関係を把握できるようになっている。作業種別は、後で詳述するが、複数記述されることがあり得る。
【００２０】
製造番号マスタファイルＰ２２は、図４に示すように、各従業員についての従業員番号、製造番号及び製造名のデータでなる。製造番号及び製造名は、１従業員について複数記述されることもあり得る。製造番号及び製造名の組は、例えば、開発プロジェクトの種類や製品の種類などを表しているものである。
【００２１】
作業内容マスタファイルＰ２３は、図５に示すように、各作業についての作業種別、作業番号及び作業内容のデータでなる。作業番号及び作業内容は、１作業種別について複数記述されている。作業番号及び作業内容の組は、「会議」や「見積り作成」などの具体的な作業の種類を表しているものである。作業種別は、ハードウエア開発用、ソフトウェア開発用、ソフトウェア開発１部用など、作業者が実行する全て又は一部の作業内容が異なる観点で種類分けされたものである。
【００２２】
作業実績ファイルＰ２４は、図６に示すように、各従業員についての従業員番号、年月日（作業年月日）、製造番号、作業番号、作業開始時間及び作業時間のデータでなる。製造番号、作業番号、作業開始時間及び作業時間の組データは、１日について複数記述されることもあり得る。また、年月日が異なるデータが含まれる。
【００２３】
指紋マスタファイルＰ２５は、図７に示すように、各従業員についての従業員番号及び指紋データでなる。
【００２４】
次に、この実施形態の作業実績取得システム１の動作を説明する。図８は、作業者端末２に対する作業者の１日での操作と、作業者端末２及び作業実績取得サーバ３の処理とを示すシーケンス図である。
【００２５】
作業者は、出勤し、最初の作業を開始する前には、例えば、作業者端末２におけるＷｅｂブラウザを用いて、作業実績取得サーバ３の作業実績取得プログラムＰにアクセスする（Ｓ１）。
【００２６】
このとき、作業実績取得サーバ３は、作業実績取得プログラムＰの初期情報表示部Ｐ１２の機能により、図９に示すような指紋入力を求めるログイン画面情報を従業者端末２に送信して従業者端末２にログイン画面ＰＩＣ１を表示させる（Ｓ２、Ｓ３）。
【００２７】
これに応じて、作業者は、指紋読取装置２Ａに指紋を読み取ることを実行させる（Ｓ４）。これにより、従業者端末２は、表示しているログイン画面ＰＩＣ１の指紋表示領域Ｒ０に読み取られた指紋（指紋画像）を追加して表示すると共に、指紋データを作業実績取得サーバ３に送信する（Ｓ５）。
【００２８】
作業実績取得サーバ３は、作業実績取得プログラムＰの作業者認証用照合部Ｐ１１の機能により、作業者端末２から与えられた指紋データと、指紋マスタファイルＰ２５内の指紋データとを照合する（Ｓ６）。作業実績取得サーバ３において、一致した指紋データが見つかると、指紋マスタファイルＰ２５からその指紋データに係る従業者番号が取り出され、作業実績取得プログラムＰの初期情報表示部Ｐ１２の機能により、その従業者番号に基づいて、人事情報マスタファイルＰ２１及び製造番号マスタファイルＰ２２から、所定の情報が取り出され、取り出された情報を適宜含む図１０又は図１１に示すようなデータ入力画面情報を従業者端末２に送信してデータ入力画面ＰＩＣ２又はＰＩＣ３を従業者端末２に表示させる（Ｓ７〜Ｓ９）。また、この際に、作業者認証用照合部Ｐ１１から作業者認証使用入力部Ｐ１３へ従業員番号や引き渡され、作業実績ファイルＰ２４のその従業者の情報などを更新し得るように状態にする（Ｓ１０）。
【００２９】
すなわち、この実施形態の作業実績取得システム１においては、指紋照合だけにより、ログインを行うことができるようになされている。この実施形態の作業実績取得システム１で取得される各作業者毎の作業実績は、各作業者の勤務評定などにも利用可能であるため、各作業者を正確に認証する必要があり、そのため、指紋照合による認証方式を採用している。また、ログイン方法と個人識別方法とを融合させることにより、ログインを迅速にし得、作業に取りかかるまでの前処理時間の短縮を計っている。
【００３０】
なお、指紋照合で一致する指紋データが指紋マスタファイルＰ２５に登録されていないという結果を得た場合には、図示は省略するが、エラーメッセージ画面が作業実績取得サーバ３から作業者端末２に送信されて表示される。
【００３１】
図１０は、人事情報マスタファイルＰ２１における権限フラグが一般従業員を表している場合でのデータ入力画面ＰＩＣ２を示し、図１１は、人事情報マスタファイルＰ２１における権限フラグが管理職従業員を表している場合でのデータ入力画面ＰＩＣ３を示している。なお、図示は省略しているが、人事情報マスタファイルＰ２１における権限フラグが当該システムの管理者従業員を表している場合でのデータ入力画面は、管理職従業員に係るデータ入力画面ＰＩＣ３とほぼ同様である。
【００３２】
図１０又は図１１に示すデータ入力画面ＰＩＣ２、ＰＩＣ３において、「社員番号」というネーミングが付与されている表示フィールドＦ１及び「氏名」というネーミングが付与されている表示フィールドＦ２はそれぞれ、従業員番号及び従業員名を表示するものである。従業員番号は、読取指紋データと一致した、指紋マスタファイルＰ２５の指紋データに対応している従業員番号であり、従業員名は、その従業員番号をキーとして、人事情報マスタファイルＰ２１から得たものである。
【００３３】
「工注番号」というネーミングが付与されている入力表示フィールドＦ３は、製造番号及び製造名の組を表示するものであり、その右端のメニュー表示起動アイコンによりメニュー表示させて製造番号及び製造名の組を切り換えられるものである。製造番号及び製造名は、従業員番号をキーとして、製造番号マスタファイルＰ２２から得たものである。
【００３４】
「工程」というネーミングが付与されている入力表示フィールドＦ４は、作業番号及び作業内容の組を表示するものであり、その右端のメニュー表示起動アイコンによりメニュー表示させて作業番号及び作業内容の組を切り換えられるものである。ログイン直後に表示されたデータ入力画面ＰＩＣ２、ＰＩＣ３では、この入力表示フィールドＦ４は空白となっている（すなわち、工程は登録されていない）。なお、図１０は、工程が登録される前の表示状態を示し、図１１は、工程が登録される後の表示状態を示している。
【００３５】
「ログアウト」アイコンＩ１は、作業者端末２が作業実績取得サーバ３から（言い換えると、作業実績取得プログラムＰから）ログアウトすることを指示するものである。
【００３６】
「工程メニュー登録」アイコンＩ２は、入力表示フィールドＦ４に、作業番号及び作業内容の１又は複数の組（工程）を登録する処理（後述する）を起動させるものである。
【００３７】
「業務開始時間登録」アイコンＩ３は、入力表示フィールドＦ３及びＦ４で規定されている製造名についての作業の開始時間を登録させる処理（後述する）を起動させるものである。この実施形態の場合、「業務開始時間登録」アイコンＩ３は、見方を変えると、その直前の作業の終了時間を指示するものにもなっている。
【００３８】
「実績値参照」アイコンＩ４は、作業実績ファイルＰ２４の格納内容を参照する処理（後述する）を起動させるものである。
【００３９】
図１０に示すデータ入力画面ＰＩＣ２における「実績値編集」アイコンＩ５−１、及び、図１１に示すデータ入力画面ＰＩＣ３における「本人実績値編集」アイコンＩ５−２は、作業実績ファイルＰ２４における、当該従業員の作業実績の編集処理（後述する）を起動させるものである。
【００４０】
図１１に示すデータ入力画面ＰＩＣ３における「部下実績値編集」アイコンＩ６は、作業実績ファイルＰ２４における、当該従業員の部下の作業実績の編集処理（後述する）を起動させるものである。当該システムの管理者従業員に係るデータ入力画面（図示せず）では、「部下実績値編集」アイコンＩ６に代え、「被管理者実績値編集」アイコンが設けられている。
【００４１】
図１０又は図１１に示すデータ入力画面ＰＩＣ２、ＰＩＣ３において、「本日業務終了」アイコンＩ７は、その日の最終作業の終了時処理（後述する）を起動させるものである。
【００４２】
図１０又は図１１に示すデータ入力画面ＰＩＣ２、ＰＩＣ３において、表示領域（以下、作業中情報表示領域と呼ぶ）Ｒは、工注（製造番号及び又は製造名で規定される）、工程（作業番号及び又は作業内容で規定される）及び作業開始時間などでなる現在作業中の情報を表示する領域である。作業中情報表示領域Ｒでの背景色（例えば赤色）は、データ入力画面ＰＩＣ２、ＰＩＣ３全体の背景色（例えばみず色）と異なるようになされている。
【００４３】
作業中情報表示領域Ｒ内における「縮小画面」アイコンＩ８は、当該データ入力画面ＰＩＣ２、ＰＩＣ３に代え、これら当該データ入力画面ＰＩＣ２、ＰＩＣ３より小さい、現在作業中の情報を含む縮小ウィンドウ画面（図１７のＷＩＮ１参照）を表示する処理を起動させるものである。
【００４４】
作業者は、ログイン直後に表示されたデータ入力画面ＰＩＣ２、ＰＩＣ３では、工程が表示されていないので、工程を登録させるべく、「工程メニュー登録」アイコンＩ２を操作する（Ｓ１１）。
【００４５】
「工程メニュー登録」アイコンＩ２が操作されたことを作業者端末２から受信した作業実績取得サーバ３は、作業実績取得プログラムＰの初期情報表示部Ｐ１２の機能により、当該従業者の従業員番号に基づいて、人事情報マスタファイルＰ２１からその従業員に係る全ての作業種別を取出し、さらに、作業内容マスタファイルＰ２３から、その作業種別についての全ての作業番号及び作業名を取り出し、取り出した情報を適宜含む図１２に示すような工程メニュー画面情報を従業者端末２に送信して工程メニュー画面ＰＩＣ４を従業者端末２に表示させる（Ｓ１２、Ｓ１３）。
【００４６】
その後、工程メニュー画面ＰＩＣ４に対する作業者の操作に応じた作業実績取得サーバ３及び作業者端末２との協働動作により、従業員が実行しようとする工程（作業番号及び作業内容）が登録される（Ｓ１４）。
【００４７】
以下、工程メニュー画面ＰＩＣ４の構成と共に、作業実績取得サーバ３及び作業者端末２との協働動作による工程登録動作を説明する。
【００４８】
図１２に示す工程メニュー画面ＰＩＣ４は、社員番号（従業員番号）及び氏名（従業員名）の表示フィールドＦ１１、Ｆ１２を有する。また、工程メニュー画面ＰＩＣ４は、工程グループ名（作業種別）の入力表示フィールドＦ１３と、その工程グループに属する工程（作業内容）の一覧の表示フィールドＦ１４を有する。入力表示フィールドＦ１３に表示された作業種別は、他のものに切り替えることができ、切り替えられた場合には、表示フィールドＦ１４に表示されている工程（作業内容）の一覧も、作業種別の変更に応じて変更される。さらに、工程メニュー画面ＰＩＣ４は、個人（従業員）に登録しようとする工程を表示する入力表示フィールドＦ１５を有する。
【００４９】
工程の一覧表示フィールドＦ１４における各工程は、従業員端末２のマウス部のクリックにより択一的にマークでき（なお、複数のマークを認めるようにしても良い）、「追加」アイコンＩ１１及び「ＯＫ」アイコンＩ１２の操作により、入力表示フィールドＦ１５に移動される。「追加」アイコンＩ１１の操作後でも、「キャンセル」アイコンＩ１３の操作により、移動は無効となる。
【００５０】
工程の一覧表示フィールドＦ１４における全ての工程は、「すべて追加」アイコンＩ１１及び「ＯＫ」アイコンＩ１２の操作により、入力表示フィールドＦ１５に移動される。「すべて追加」アイコンＩ１４の操作後でも、「キャンセル」アイコンＩ１３の操作により、移動は無効となる。
【００５１】
入力表示フィールドＦ１５における各工程は、従業員端末２のマウス部のクリックにより択一的にマークでき（なお、複数のマークを認めるようにしても良い）、「削除」アイコンＩ１１及び「ＯＫ」アイコンＩ１２の操作により、一覧表示フィールドＦ１４に移動される。「削除」アイコンＩ１１の操作後でも、「キャンセル」アイコンＩ１３の操作により、移動は無効となる。
【００５２】
入力表示フィールドＦ１５における全ての工程は、「すべて削除」アイコンＩ１８及び「ＯＫ」アイコンＩ１２の操作により、一覧表示フィールドＦ１４に移動される。「すべて削除」アイコンＩ１８の操作後でも、「キャンセル」アイコンＩ１３の操作により、移動は無効となる。
【００５３】
入力表示フィールドＦ１５においてマークされている工程は、「上へ」アイコンＩ１５や「下へ」アイコンＩ１６の操作により、その位置を一つ上の位置や一つ下の位置に移動することができる。
【００５４】
「戻る」アイコンＩ１９の操作により、工程メニュー画面ＰＩＣ４からデータ入力画面に戻り、データ入力画面の入力表示フィールドＦ４には、工程メニュー画面ＰＩＣ４の入力表示フィールドＦ１５の最も上の位置の工程が表示される。図１３は、工程メニュー画面ＰＩＣ４から戻ったデータ入力画面ＰＩＣ５を示している。
【００５５】
作業者は、新たな作業を開始する前に、その都度、工程（作業番号及び作業名）を工程メニュー画面ＰＩＣ４を利用して登録でき、また、その日の最初の作業などを開始する前に、その作業を含め、これからその日に行うであろう工程（作業番号及び作業名）を工程メニュー画面ＰＩＣ４を利用してまとめて登録できる。
【００５６】
データ入力画面（ＰＩＣ５など）の入力表示フィールドＦ４に、これから実行する作業を規定する工程が表示されている段階で、作業者は、「業務開始時間登録」アイコンＩ３を操作する（Ｓ１５）。
【００５７】
この操作情報を作業者端末２から受信した作業実績取得サーバ３は、作業実績取得プログラムＰの作業時間算出・保存部Ｐ１４の機能により、作業実績ファイルＰ２４の当該従業者の作業実績を更新する（Ｓ１６）。
【００５８】
図１４は、この作業実績の更新時の処理を示すフローチャートである。作業実績取得サーバ３のＣＰＵは、作業時間算出・保存部Ｐ１４における図１４の処理を開始するとまず、新たな作業に係る製造番号、作業番号、作業開始時間及び作業時間の格納エリアを確保し（Ｓ１００）、製造番号エリアには、データ入力画面の表示フィールドＦ３の製造番号を書き込み、作業番号エリアには、データ入力画面の入力表示フィールドＦ４の作業番号を書き込み、作業開始時間エリアには、「業務開始時間登録」アイコンＩ３の操作情報の受信時での内蔵タイマの時間を書き込む（Ｓ１０１）。なお、作業時間エリアは空白のままとする。
【００５９】
次に、作業実績取得サーバ３のＣＰＵは、その日に、この作業前に行っていた作業があるか否かを判別し（Ｓ１０２）、前作業がなければ直ちに後述するステップＳ１０４に移行し、前作業があれば、その前作業での開始時間と今回の作業の開始時間などから、前作業での作業時間を算出して、前作業での作業時間エリアに書き込む（Ｓ１０３）。
【００６０】
なお、作業時間算出・保存部Ｐ１４は、昼休みなどの非作業時間の固定データを有し（なお、人事情報マスタファイルＰ２１にこの非作業時間情報を持たせるようにしても良い）、前作業での開始時間と今回の作業の開始時間との間に非作業時間が存在すれば、前作業での開始時間と今回の作業の開始時間との差の時間から、非作業時間を減じた時間を前作業での作業時間として算出する。例えば、前作業の開始時間が午前１１時で、今回作業の開始時間が午後１時半であって、非作業時間として、昼食用の正午〜午後１時（１時間）が設定されていれば、前作業の作業時間として１時間半（＝１３．５−１１−１）を算出する。
【００６１】
その後、作業実績取得サーバ３は、図１５に示す実績値登録完了画面ＰＩＣ６の情報を作業者端末２に送信させて表示させる（Ｓ１０４）。
【００６２】
実績値登録完了画面ＰＩＣ６は、今回の作業の情報を登録したことを表すメッセージを含むと共に、「戻る」アイコンＩ２１を含んでいる。「戻る」アイコンＩ２１が作業者によって操作されると、作業者端末２からその旨の情報が作業実績取得サーバ３に送信される（図８のＳ１７参照）。
【００６３】
この操作情報を受信した作業実績取得サーバ３は、現在作業情報表示部Ｐ１５及び初期情報表示部Ｐ１２の機能により、作業中情報表示領域Ｒに有効な作業中情報を含む、図１６に示すようなデータ入力画面ＰＩＣ７を表示させる情報を作業者端末２に送信してデータ入力画面ＰＩＣ７を表示させる（Ｓ１８、Ｓ１９）。なお、実績値登録完了画面ＰＩＣ６の情報を送信する際に、データ入力画面ＰＩＣ７に復帰する際に、作業中情報を表示させる情報も併せて送信しておくようにしても良い。
【００６４】
この状態において、作業者は登録した作業を実行することができる。作業が、作業者端末２を用いる作業であれば、作業者は、作業中情報表示領域Ｒにおける「縮小画面」アイコンＩ８を操作し、このとき、作業者端末２は、「縮小画面」アイコンＩ８に対応付けられている処理プログラムに基づいて、作業中情報を含む図１７に示すような縮小ウィンドウ画面ＷＩＮ１を、データ入力画面（ＰＩＣ７など）が表示される直前の表示画面ＰＩＣ８の一部に併せて表示させる（Ｓ２０）。
【００６５】
縮小ウィンドウ画面ＷＩＮ１は「登録画面」アイコンＩ３１を有し、作業者は、「登録画面」アイコンＩ３１を操作することにより、表示をデータ入力画面（ＰＩＣ７など）に容易に戻すことができる。
【００６６】
なお、一般的なパソコンなどのＯＳでは、表示画面の右上端角に表示を最小化するアイコンを備え、この最小化アイコンが操作されたときに、表示ファイルを最小化し、ファイル名を有するアイコンを、ログインしているファイルの一覧表示行に表示する機能を有している。このような最小化アイコンに比較すると、「縮小画面」アイコンＩ８は、作業中情報を常時表示することを指示すると共に、見易い位置に位置している「登録画面」アイコンＩ３１を含む縮小ウィンドウ画面ＷＩＮ１を表示させるので、次の作業の開始前に、表示をデータ入力画面（ＰＩＣ７など）に戻すことが確実に行われるようになり、使い勝手が高くなっている。
【００６７】
図８では省略しているが、作業者は新しい作業を開始する毎に、データ入力画面を表示させ、工程（作業番号及び作業名）を指定し、「業務開始時間登録」アイコンＩ３を操作し、上記と同様な動作を、当該作業実績取得システム１に実行させる。２番目以降の作業での工程指定では、その際に、上述した図１２に示す工程メニュー画面ＰＩＣ４を利用して登録しても良く、それまでの作業での工程メニュー画面ＰＩＣ４を利用した登録時に登録しておき、入力表示フィールドＦ４での工程選択機能により選択指定するようにしても良い。
【００６８】
作業者は、その日の業務を終了する際には、データ入力画面における「本日業務終了」アイコンＩ７を操作し、このとき、作業者端末２はその旨の情報を作業実績取得サーバ３に送信する（図８のＳ２１参照）。
【００６９】
この操作情報を受信した作業実績取得サーバ３は、作業時間算出・保存部Ｐ１４の機能により、作業時間エリアが空白の最終作業の作業時間として、その開示時間から、この操作情報の受信時間までの時間を算出し、作業実績ファイルの最終作業の作業時間エリアに書き込み、上述した図１５に示す実績値登録完了画面ＰＩＣ６の情報を作業者端末２に送信させて表示させる（Ｓ２２、Ｓ２３）。
【００７０】
その後、図８では省略しているが、作業者は、図１５に示す実績値登録完了画面ＰＩＣ６の「戻る」アイコンＩ２１を操作してデータ入力画面を表示させ、さらに、「ログアウト」アイコンＩ１を操作し、これにより、作業者端末２及び作業実績取得サーバ３はログアウト処理を行う。
【００７１】
なお、「本日業務終了」アイコンＩ７の操作に応じて、最終作業の実績時間を登録した作業実績取得サーバ３は、データ入力画面に復帰した場合でも、その「業務開始時間登録」アイコンＩ３の操作を無効とするようにしている。但し、「実績値参照」アイコンＩ４や「実績値編集」アイコンＩ５−１などは、継続して有効としており、作業実績を参照したり編集したりすることは可能となされている。
【００７２】
以上、この実施形態の作業実績取得システム１における、一般的な一日での動作の流れを示したが、作業者が外出した場合などを考慮し、作業実績の確認機能（参照機能）や編集機能などが設けられている。
【００７３】
図１８は、作業者が、自己の作業実績を確認する場合の作業実績取得システム１の動作の流れを示すシーケンス図である。以下では、作業者が一般作業者として説明を行う。
【００７４】
作業者は、作業実績ファイルＰ２４内の自己の作業実績を確認したい場合には、データ入力画面における「実績値参照」アイコンＩ４を操作し、このとき、作業者端末２は、その操作情報などを作業実績取得サーバ３に送信する（Ｓ２００）。この操作情報などを受信した作業実績取得サーバ３は、その作業時間・算出保存部Ｐ１４及び初期情報表示部Ｐ１２の機能により、その作業者の従業員番号をキーとして、その日の作業実績を作業実績ファイルＰ２４から読出し（この際には適宜製造番号マスタファイルＰ２２や作業内容マスタファイルＰ２３が参照される）、図１９に示すような実績値参照画面ＰＩＣ９の情報を形成し、作業者端末２に送信して実績値参照画面ＰＩＣ９を表示させる（Ｓ２０１、Ｓ２０２）。
【００７５】
図１９に示す実績値参照画面ＰＩＣ９は、社員番号や氏名などの作業者の特定情報を表示する表示フィールドＦ４１、Ｆ４２を有し、また、表示している作業実績に係る年月日の表示文字列ＣＨ１を含み、さらに、実績値の表示する表形式の実績値表示領域Ｒ１１を有する。実績値表示領域Ｒ１１は、各行が１個の作業実績を表示するものとなっており、工注（製造番号及び製造名）、工程（作業番号及び作業内容）、開始時間、実績値（作業時間）が表示される。図１９の例では、最後の作業が終了していないため、実績値は空白となっている。
【００７６】
なお、開始時間は、データ入力画面の「業務開始時間登録」アイコンＩ３の操作によって登録されたものと、後述する実績値編集処理を通じて追加、変更されたものとを、異なる色で表示し、それらの登録原因を区別できるようになっている。
【００７７】
実績値参照画面ＰＩＣ９は、カレンダー表示領域Ｒ１２を有する。作業者は、過去の年月日の作業実績を確認したい場合には、カレンダー表示領域Ｒ１２内のアイコンを年月日を特定するように操作し、このとき、作業者端末２は、その年月日情報などを作業実績取得サーバ３に送信する（Ｓ２０３）。この年月日情報などを受信した作業実績取得サーバ３は、その作業時間・算出保存部Ｐ１４及び初期情報表示部Ｐ１２の機能により、その作業者の従業員番号をキーとして、特定された年月日の作業実績を作業実績ファイルＰ２４から読出し（この際には適宜製造番号マスタファイルＰ２２や作業内容マスタファイルＰ２３が参照される）、実績値参照画面ＰＩＣ９を更新表示させる情報を形成し、作業者端末２に送信して、その年月日の作業実績を含む実績値参照画面（図示せず）を表示させる（Ｓ２０４、Ｓ２０５）。なお、作業実績取得サーバ３が当初の実績値参照画面ＰＩＣ９の情報を作業者端末２に送信する際に、過去の実績情報のデータも送信しておき、過去の年月日の作業実績の表示が求められた際に、作業者端末２側での処理だけで、実績値参照画面を更新処理するようにしても良い。
【００７８】
なお、実績値参照画面（ＰＩＣ９など）は、１日当たりの作業実績のデータ量によっては、複数ページ構成となり、「次ページ」アイコンや「前ページ」アイコンや「スクロール」アイコン（図示せず）などが適宜追加して設けられ、表示ページなどを切り換えられるようになされている。
【００７９】
カレンダー表示領域Ｒ１２を用いた年月日の指定で、未来の年月日の指定を拒否するようにしても良く、また、未来の年月日の指定を許容するようにしても良い。後者の場合、実績値表示領域Ｒ１１は、空白表示される。
【００８０】
実績値参照画面（ＰＩＣ９など）には、「戻る」アイコンＩ４１が設けられており、作業者によって、「戻る」アイコンＩ４１が操作された際には、作業者端末２は、表示をデータ入力画面に復帰させる（Ｓ２０６）。
【００８１】
図２０は、作業者が、自己の作業実績を確認する場合の作業実績取得システム１の動作の流れを示すシーケンス図である。
【００８２】
自己の作業実績の修正（挿入、変更、削除）を欲する場合には、その作業者が一般従業員であれば、データ入力画面での「実績値編集」Ｉ５−１を操作し、このとき、作業者端末２は、その操作情報などを作業実績取得サーバ３に送信する（Ｓ３００）。この操作情報などを受信した作業実績取得サーバ３は、その作業時間・算出保存部Ｐ１４及び初期情報表示部Ｐ１２の機能により、その作業者の従業員番号をキーとして、その日の作業実績を作業実績ファイルＰ２４から読出し（この際には適宜製造番号マスタファイルＰ２２や作業内容マスタファイルＰ２３が参照される）、図２１に示すような実績値編集画面ＰＩＣ１０の情報を形成し、作業者端末２に送信して実績値編集画面ＰＩＣ１０を表示させる（Ｓ３０１、Ｓ３０２）。
【００８３】
図２１に示す実績値編集画面ＰＩＣ１０は、図１９に示した実績値参照画面ＰＩＣ９とほぼ同様な構成を有する。なお、図２１において、図１９に示した実績値参照画面ＰＩＣ９との対応部分には、同一符号を付して示している。実績値編集画面ＰＩＣ１０が、実績値参照画面ＰＩＣ９と異なる点は、実績値表示領域Ｒ１１の各行にそれぞれ、「編集」アイコンＩ４２が対応付けられている点である。
【００８４】
作業者は、変更又は削除を希望する場合には、該当する行の「編集」アイコンＩ４２を操作し、挿入を希望する場合には、挿入された場合にその直下の行になる行の「編集」アイコンＩ４２を操作し、このとき、作業者端末２は、その操作情報などを作業実績取得サーバ３に送信する（Ｓ３０３）。この操作情報などを受信した作業実績取得サーバ３は、その作業時間・算出保存部Ｐ１４及び初期情報表示部Ｐ１２の機能により、指定行の作業実績を含む、図２２に示すような実績値編集入力画面ＰＩＣ１１の情報を形成し、作業者端末２に送信して実績値編集入力画面ＰＩＣ１１を表示させる（Ｓ３０４、Ｓ３０５）。
【００８５】
実績値編集入力画面ＰＩＣ１１は、工注（製造番号及び製造名）、工程（作業番号及び作業内容）、開始時間の入力表示フィールドＦ５１、Ｆ５２、Ｆ５３を有すると共に、開始時間を変化し得る時間幅の表示フィールドＦ５４を有する。工注、工程、開始時間の入力表示フィールドＦ５１、Ｆ５２、Ｆ５３のデータは、適宜変更可能である（Ｓ３０６）。表示フィールドＦ５４の時間幅は、「編集」アイコンＩ４２が操作された実績値表示領域Ｒ１１の行の前の行の開始時間（前の行が存在しない場合には、００：００）から次の行の開始時間（次の行が存在しない場合には、２４：００）として表示される。開始時間の入力表示フィールドＦ５３の表示でも、データ入力画面の「業務開始時間登録」アイコンＩ３の操作によって登録されたものと、実績値編集処理を通じて挿入、変更されたものとを、異なる色で表示し、それらの登録原因を区別できるようになっている。なお、「業務開始時間登録」アイコンＩ３の操作によって登録された、入力表示フィールドＦ５３の開始時間を、一般従業員は、変更することはできない。
【００８６】
また、実績値編集入力画面ＰＩＣ１１は、「挿入」アイコンＩ５１、「変更」アイコンＩ５２、「変更」アイコンＩ５３及び「戻る」アイコンＩ５４を有する。
【００８７】
「戻る」アイコンＩ５４が操作された際には、図２０では処理を省略しているが、作業者端末２（作業者端末２及び作業実績取得サーバ３）は、表示を図２１に示すような実績値編集画面ＰＩＣ１０に戻す。
【００８８】
作業者は、希望する編集種類に係るアイコンＩ５１、Ｉ５２又はＩ５３を操作し、このとき、作業者端末２は、その操作情報などを作業実績取得サーバ３に送信する（Ｓ３０７）。この操作情報などを受信した作業実績取得サーバ３は、その作業時間・算出保存部Ｐ１４及び初期情報表示部Ｐ１２の機能により、まず、その編集を受け付けられるか否かを判定する（Ｓ３０８）。受け付けられる場合には、作業実績ファイルＰ２４を指示された編集内容に応じて更新し、編集登録完了画面（図示せず）の情報を形成し、作業者端末２に送信して編集登録完了画面を表示させる（Ｓ３０９、Ｓ３１０）。一方、受け付けられない場合には、編集登録エラー画面（図示せず）の情報を形成し、作業者端末２に送信して編集登録エラー画面を表示させる（Ｓ３１１、Ｓ３１２）。
【００８９】
なお、編集内容によっては、直接編集が指示された行の作業実績だけでなく、他の行の作業実績も更新される。例えば、ある行の工程の開始時間を２分前に修正した場合には、その行の開始時間及び作業時間が更新されるだけでなく、直前の行の作業時間も２分だけ短くなるように更新される。
【００９０】
図示は省略しているが、編集登録終了画面は編集登録が完了した旨のメッセージ（例えば、「挿入が完了しました」）と「戻る」アイコンとを有し、「戻る」アイコンの操作により、編集内容が反映された実績値編集画面（編集前実績値編集画面ＰＩＣ１０と同様であるが編集内容が反映されている）の表示に戻る。「戻る」アイコンの操作により、作業者端末２及び作業実績取得サーバ３がデータ授受して編集内容が反映された実績値編集画面を表示させるようにしても良く、編集登録完了画面（図示せず）の情報の送信時に、編集内容が反映された実績値編集画面を表示させるための情報も併せて送信しておき、「戻る」アイコンの操作時に、作業者端末２だけの処理で実績値編集画面を表示させるようにしても良い。
【００９１】
また、作業実績取得サーバ３は、編集登録終了画面若しくは編集内容が反映された実績値編集画面の情報を作業者端末２に送信する場合において、又は、それら情報の送信の相前後のタイミングで、以下の条件が成立するときには、その後に表示されるデータ入力画面での「本日業務終了」アイコンＩ７を再び有効とする情報を送信する。すなわち、当日に「本日業務終了」アイコンＩ７が既に操作され、最終作業の実績値も作業実績ファイルＰ２４に格納された後、実績値編集が起動され、開始時間だけを含む（作業時間を含まない）最終作業の情報が挿入された場合には、「本日業務終了」アイコンＩ７を再び有効とさせる。
【００９２】
上述した編集を受け付けられるか否かの判定（Ｓ３０８）で、編集登録を拒否する場合は、例えば、以下の通りである。
【００９３】
（ア）挿入又は変更に係る開始時間が開始時間の許容幅の範囲内でない場合
（イ）挿入又は変更に係る開始時間が他の工程の開始時間と一致する場合
（ウ）「業務開始時間登録」アイコンＩ３の操作によって登録された工程の開始時間を変更する場合（但し、工注、工程の変更は認められる）
（エ）「業務開始時間登録」アイコンＩ３の操作によって登録された工程の作業実績を削除する場合
以上では、一般従業員が実績値編集を希望する場合を説明しているが、上記（ウ）及び（エ）の拒否項目は、一般従業員の場合に対しての特有の拒否項目である。例えば、管理職従業員やシステム管理者は、自己の実績値編集においては、上記（ウ）及び（エ）の項目は拒否項目とはなっておらず、上記（ア）及び（イ）の項目だけが拒否項目となっている。なお、管理職従業員やシステム管理者についての、自己の実績値編集動作は、上記の点を除けば、一般従業員による自己の実績値編集動作と同様であるので、その説明は省略する。
【００９４】
図示しない編集登録エラー画面は、編集登録ができないエラーメッセージ（上述した拒否項目に応じてメッセージ内容は異なる）と「戻る」アイコンとを有し、「戻る」アイコンの操作により、編集指示前の実績値編集画面（例えばＰＩＣ１０）の表示に戻る。「戻る」アイコンの操作により、作業者端末２及び作業実績取得サーバ３がデータ授受して編集内容が反映されていない実績値編集画面を表示させるようにしても良く、編集登録エラー画面（図示せず）の情報の送信時に、編集内容が反映されていない実績値編集画面を表示させるための情報も併せて送信しておき、「戻る」アイコンの操作時に、作業者端末２だけの処理で実績値編集画面を表示させるようにしても良い。
【００９５】
管理職従業員やシステム管理者（システム管理従業員）はそれぞれ、部下従業員又は被管理者の作業実績を編集することができる。これらの動作は、同様であるので、以下では、管理職従業員が部下従業員の作業実績を編集する場合の動作を例に説明する。
【００９６】
管理職従業員は、部下従業員の作業実績を編集する場合には、管理職従業員用のデータ入力画面ＰＩＣ３における「部下実績値編集」アイコンＩ６を操作する。シーケンス図は省略するが、このとき、作業者端末２から作業実績取得サーバ３にその旨が通知され、作業実績取得サーバ３は、図２３に示すような部下実績値編集画面ＰＩＣ１２の情報を返信し、作業者端末２に表示させる。
【００９７】
図２３に示す部下実績値編集画面ＰＩＣ１２は、図２１に示した本人の実績値編集画面ＰＩＣ１０と同様であるが（図２３では図２１との対応部分に同一符号を付して示している）、氏名の表示フィールドＦ４２が、部下の氏名の入力表示フィールドＦ４２ａに変更されている。この段階では、部下が特定されていないので、実績値表示領域Ｒ１１は空白となっており、「編集」アイコンＩ５１も表示されない。
【００９８】
部下の氏名の入力表示フィールドＦ４２ａに対し、管理職従業員が部下氏名の入力操作を行うと、氏名情報などが、作業者端末２から作業実績取得サーバ３に送信され、作業実績取得サーバ３は、該当する部下の該当する日の作業実績を作業実績ファイルＰ２４から取り出し、作業者端末２に返信し、作業者端末２は図２３に示すような部下実績値編集画面ＰＩＣ１２の情報を返信し、作業者端末２は、実績値表示領域Ｒ１１に作業実績が挿入され、かつ、「編集」アイコンが行毎に付与された部下実績値編集画面（図示は省略；図２１と同様）を表示させる。
【００９９】
以下、一般従業員が本人の作業実績を編集する場合とほぼ同様な動作が実行される。異なる点は、「変更」や「削除」は認められておらず、編集が「挿入」に限定されている点である。
【０１００】
上記実施形態によれば、基本的には、ログイン後は、作業者による工程（作業）選択、業務開始の指示だけで作業実績を取得でき、作業実績の取得のための作業者の操作負担は少ない。また、業務開始の指示により、前作業の作業実績をリアルタイムでサーバが取得することができる。さらに、業務開始の指示を、マウス操作だけで行うことができ、使い勝手が良好になっていると共に、業務開始の指示操作の作業者の抵抗感を和らげている。
【０１０１】
また、上記実施形態によれば、作業者は指紋読取動作をさせるだけでログインするので、ログイン動作が簡単になっているだけでなく、確実に作業者を認識できるようになっている。
【０１０２】
さらに、上記実施形態によれば、作業者端末が他のアプリケーションプログラムで利用されている際にも、縮小ウィンドウ画面で、作業中情報を表示するようにしているので、作業者は、作業実績取得のための入力操作を行ったか否かなどを容易に確認できると共に、同一作業に対する重複入力を防止することができる。
【０１０３】
また、縮小ウィンドウ画面は、作業実績入力用のデータ入力画面に復帰させるアイコンを有するので、表示を、容易に作業実績入力用のデータ入力画面に復帰でき、次の作業開始の指示の確実性がかなり高くなっている。
【０１０４】
（Ｂ）他の実施形態
上記実施形態の説明においても、種々変形実施形態に言及したが、さらに、以下に例示するような変形実施形態を挙げることができる。
【０１０５】
上記実施形態では、作業者認証に指紋データを利用するものを示したが、他の生体データ（例えば掌紋データやアイリスデータ等）を利用するようにしても良く、パスワード入力などを適用しても良い。また、複数種類の認証方法を組み合わせても良い。
【０１０６】
また、上記実施形態では、ログイン時にのみ、指紋照合を行うものを示したが、他のタイミングでも、指紋照合を行うようにしても良い。例えば、「業務開始時間登録」アイコンＩ３を省略し、「業務開始時には指紋読取デバイスに指を置いて下さい」のメッセージを表示しておき、指紋読取入力を、「業務開始時間登録」アイコンＩ３の操作と同様に扱うようにしても良い。また例えば、本人の実績値編集や部下の実績値編集では、その操作者を指紋照合で再度確認するようにしても良い。このような機能を、図２の作業者認証使用入力部Ｐ１３が担うことになる。
【０１０７】
さらに、上記実施形態では、自己の作業中情報を、縮小ウィンドウ画面で常時表示し得るものを示したが、管理職従業員やシステム管理者（従業員）の従業員端末に対しては、部下や被管理者の作業中情報を、例えば、一覧表示の縮小ウィンドウ画面で常時表示し得るようにしても良く、かかる表示モードを管理職従業員やシステム管理者をオンオフできるようにしても良い。また、部下の一部を選択し、その作業中情報を表示させるようにしても良い。この場合、権限フラグと部署名などから、上下関係などが把握され、作業実績取得サーバが該当する部下や被管理者の作業中情報を作業実績ファイルから取り出して表形式などにまとめ、管理職従業員やシステム管理者の従業員端末に与えることになる。
【０１０８】
このようにすると、管理職従業員は、部下の現在の作業状況を容易に把握でき、部下の管理能力の向上も期待できる。また、システム管理者も、被管理者の開始時間の入力操作の確実性などを把握でき、操作に関する指導を行うことができる。
【０１０９】
上記実施形態では、従業員が２段階（システム管理者を含めれば３段階）で分けられたものを示したが、それ以上の段階でグループ化して権限フラグを付与するようにしても良く、上司レベルによって、部下の実績値を編集できる内容を変更するようにしても良い。上司によっては、部下の作業実績を、挿入だけでなく、変更、削除できるようにしても良い。
【０１１０】
また、上記実施形態では、「業務開始時間登録」アイコンＩ３の操作時を、新たな作業の開始時間とすると共に前作業の終了時間とするものを示したが、例えば、「業務開始時間登録」アイコンＩ３の操作時のＸ（例えば２）分後を新たな作業の開始時間とし、「業務開始時間登録」アイコンＩ３の操作時のＹ（例えば２）分前を前作業の終了時間とするようにオフセット時間を設けるようにしても良い。「業務終了」アイコンについても、同様なオフセット時間を設けても良い。
【０１１１】
さらに、上記実施形態では、作業実績の取得までを行うものを示したが、その集計機能部を設けるようにしても良く、外部の集計機能部と連携するようにしても良い。更に、ログイン時間やログアウト時間を、出勤時間や退勤時間として外部のシステムに引き渡すようにしても良い。
【０１１２】
さらにまた、上記実施形態では、その日予定される工程を入力した場合において、データ入力画面と関連付けられて記憶するように説明したが、入力された工程（作業内容）をファイルとして記憶するようにしても良い。例えば、従業員番号、作業番号（複数でも良い）、その作業番号が表す作業内容の入力表示フィールドＦ１５（図１２参照）での表示順番でなる図２４に示すような個人用作業内容ファイルを設けるようにしても良い。このようにした場合は、過去に入力した工程（作業内容）を後日に選択し、業務開始時間を指示することもできる。すなわち、ログイン直後のデータ入力画面（例えば、図１０のＰＩＣ２参照）でも、個人用作業内容ファイルにその従業員の作業番号が記述されていれば、入力表示フィールドＦ１５に作業番号及び作業内容が表示される。
【図面の簡単な説明】
【０１１３】
【図１】実施形態のシステム構成を示すブロック図である。
【図２】実施形態のプログラム構成の説明図である。
【図３】実施形態の人事情報マスタファイルの構成を示す説明図である。
【図４】実施形態の製造番号マスタファイルの構成を示す説明図である。
【図５】実施形態の作業内容マスタファイルの構成を示す説明図である。
【図６】実施形態の作業実績ファイルの構成を示す説明図である。
【図７】実施形態の指紋マスタファイルの構成を示す説明図である。
【図８】実施形態システムの１日の動作の基本的な流れを示すシーケンス図である。
【図９】実施形態のログイン画面を示す説明図である。
【図１０】実施形態の一般従業員用データ入力画面を示す説明図である。
【図１１】実施形態の管理職従業員用データ入力画面を示す説明図である。
【図１２】実施形態の工程メニュー画面を示す説明図である。
【図１３】実施形態の工程入力後の一般従業員用データ入力画面を示す説明図である。
【図１４】実施形態の作業実績ファイルの入力更新動作を示すフローチャートである。
【図１５】実施形態の実績値登録完了画面を示す説明図である。
【図１６】実施形態の有効な作業中情報を含む一般従業員用データ入力画面を示す説明図である。
【図１７】実施形態の作業中情報を含む縮小ウィンドウ画面を示す説明図である。
【図１８】実施形態の本人実績値参照動作を示すシーケンス図である。
【図１９】実施形態の実績値参照画面を示す説明図である。
【図２０】実施形態の本人実績値編集動作を示すシーケンス図である。
【図２１】実施形態の本人実績値編集画面を示す説明図である。
【図２２】実施形態の実績値編集入力画面を示す説明図である。
【図２３】実施形態の部下実績値編集画面を示す説明図である。
【図２４】他の実施形態の個人用作業内容ファイルの説明図である。
【符号の説明】
【０１１４】
１…作業実績取得システム、２…作業者端末、２Ａ…指紋読取装置、３…作業実績取得サーバ、Ｐ…作業実績取得プログラム。
【図１】
2005092325.tif 000003
【図２】
2005092325.tif 000004
【図３】
2005092325.tif 000005
【図４】
2005092325.tif 000006
【図５】
2005092325.tif 000007
【図６】
2005092325.tif 000008
【図７】
2005092325.tif 000009
【図８】
2005092325.tif 000010
【図９】
2005092325.tif 000011
【図１０】
2005092325.tif 000012
【図１１】
2005092325.tif 000013
【図１２】
2005092325.tif 000014
【図１３】
2005092325.tif 000015
【図１４】
2005092325.tif 000016
【図１５】
2005092325.tif 000017
【図１６】
2005092325.tif 000018
【図１７】
2005092325.tif 000019
【図１８】
2005092325.tif 000020
【図１９】
2005092325.tif 000021
【図２０】
2005092325.tif 000022
【図２１】
2005092325.tif 000023
【図２２】
2005092325.tif 000024
【図２３】
2005092325.tif 000025
【図２４】
2005092325.tif 000026